(57)【要約】【課題】第１剤が収容された第１容器内の液密性を確実に確保しながら、第１剤と第２容器内に収容された第２剤とを容易かつ確実に混合する。【解決手段】筒状の容器本体１１、この容器本体１１の胴部１２内に容器軸Ｏ方向に摺動可能に嵌合された第１栓体１３、および容器本体１１の口部１４内に容器軸Ｏ方向に摺動可能に嵌合された第２栓体１５を有し、容器本体１１内における第１栓体１３と第２栓体１５との間の密閉空間に第１剤Ａが収容される第１容器１０と、容器軸Ｏと同軸に配設されるとともに、容器軸Ｏ方向の一方側が容器本体１１の口部１４内に挿入され第２栓体１５を胴部１２側に向けて押し込み、容器軸Ｏ方向の他方側に第２剤Ｂが収容された第２容器３０の口部３０ａが装着される接続筒体２０と、を備える。【選択図】図２
2010155628.tif 000002
【特許請求の範囲】
【請求項１】
筒状の容器本体、この容器本体の胴部内に容器軸方向に摺動可能に嵌合された第１栓体、および前記容器本体において胴部よりも小径の口部内に容器軸方向に摺動可能に嵌合された第２栓体を有し、前記容器本体内における第１栓体と第２栓体との間の密閉空間に第１剤が収容される第１容器と、
前記容器軸と同軸に配設されるとともに、容器軸方向の一方側が前記容器本体の口部内に挿入され前記第２栓体を胴部側に向けて押し込み、容器軸方向の他方側に第２剤が収容された第２容器の口部が装着される接続筒体と、を備えることを特徴とする二剤混合容器。
【請求項２】
請求項１記載の二剤混合容器であって、
前記第２栓体において前記容器軸方向に沿った容器本体の外側を向く外端面に凹部が形成され、
前記接続筒体における前記容器軸方向の一方側の部分は、その端部が前記凹部に嵌合されるとともに、この端部に前記容器軸方向の他方側から連なる部分には、その径方向に貫通する貫通孔が形成されていることを特徴とする二剤混合容器。
【請求項３】
請求項１または２に記載の二剤混合容器であって、
前記第１栓体および第２栓体は、前記容器本体を形成する材質よりも柔軟な材料で形成されていることを特徴とする二剤混合容器。
【請求項４】
請求項１から３のいずれか１項に記載の二剤混合容器であって、
前記容器本体には、第１栓体を容器軸方向に沿った容器本体の外側から覆う保護カバーが装着され、この保護カバーには、該保護カバーと第１栓体とで囲まれた空間と、第１容器の外部と、を連通する連通孔が形成されていることを特徴とする二剤混合容器。
【請求項５】
請求項１から４のいずれか１項に記載の二剤混合容器であって、
前記接続筒体は、前記容器本体の口部内に挿入され前記第２栓体を胴部側に向けて押し込む内筒と、この内筒を径方向外側から囲繞する外筒と、を備え、
これらの外筒と内筒との間における容器軸方向の一方側に前記容器本体の口部が差し込まれることを特徴とする二剤混合容器。
【請求項６】
請求項５記載の二剤混合容器であって、
前記外筒における容器軸方向の一方側の端部には、前記容器本体における口部と胴部との接続部分の外面に容器軸方向に近接若しくは当接するストッパリングが分離可能に接続されていることを特徴とする二剤混合容器。
【発明の詳細な説明】
【技術分野】
【０００１】
本発明は、二剤混合容器に関するものである。
【背景技術】
【０００２】
二剤混合容器としては、例えば下記特許文献１に示されるような、内部に主剤が収容された主容器と、この主容器の口部に装着されるとともに内部に添加剤が収容された副容器と、を備え、副容器は、主容器の口部内に挿入されるとともに内部に添加剤が収容された筒体と、筒体の両端開口部のうち主容器の軸方向外側に位置する一端開口部を覆いかつ軸方向内側に向けて押し込み可能に形成された押し込み部と、筒体の両端開口部のうち主容器の軸方向内側に位置する他端開口部を覆う破断可能なフィルム材と、押し込み部から前記軸方向内側に向けて延設された刃部と、を備える構成が知られている。
この二剤混合容器では、副容器の押し込み部を押し込んで刃部によりフィルム材を破断することで、この破断部分から筒体内の添加剤を主容器内に落下させ、この主容器内で主剤と添加剤とを混合できるようになっている。
【特許文献１】特開２００６−８９０８４号公報
【発明の開示】
【発明が解決しようとする課題】
【０００３】
ところで近年では、添加剤が収容された筒体内の液密性を確実に確保しながら、添加剤と主剤とを容易に混合することができる二剤混合容器に対する要望が高まっている。
【０００４】
本発明は、このような事情を考慮してなされたもので、第１剤が収容された第１容器内の液密性を確実に確保しながら、第１剤と第２容器内に収容された第２剤とを容易かつ確実に混合することができる二剤混合容器を提供することを目的とする。
【課題を解決するための手段】
【０００５】
上記課題を解決して、このような目的を達成するために、本発明の二剤混合容器は、筒状の容器本体、この容器本体の胴部内に容器軸方向に摺動可能に嵌合された第１栓体、および前記容器本体において胴部よりも小径の口部内に容器軸方向に摺動可能に嵌合された第２栓体を有し、前記容器本体内における第１栓体と第２栓体との間の密閉空間に第１剤が収容される第１容器と、前記容器軸と同軸に配設されるとともに、容器軸方向の一方側が前記容器本体の口部内に挿入され前記第２栓体を胴部側に向けて押し込み、容器軸方向の他方側に第２剤が収容された第２容器の口部が装着される接続筒体と、を備えることを特徴とする。
【０００６】
この発明では、第１栓体および第２栓体が容器本体内に容器軸方向に摺動可能に嵌合されているので、第１容器内の液密性を確実に確保することができるとともに、接続筒体により第２栓体を胴部側に向けて押し込む過程における第１容器の内圧上昇に伴い、第１栓体を容器軸方向の外側に向けて摺動させることが可能になる。したがって、第１容器の内圧上昇を抑えることが可能になり、第２栓体が第１容器の口部内を胴部側に向けて摺動し難くなってこの口部から外れ難くなるのを防ぐことができ、また、第２栓体が第１容器の口部から外れたときに、第１剤が第１容器内から口部を通してその外部に勢いよく噴出するのを防ぐことができる。これにより、第１剤と第２剤とを容易かつ確実に混合することができる。
また、口部内の第２栓体を口部より大径の胴部内に進入させて、第１容器内と第２容器内とを連通させるので、第２栓体が第２容器内に進入するのを防ぐことが可能になり、例えば第２容器を、第１剤と第２剤とを混合した混合剤の収容容器として継続して用いる場合に、この第２容器の見映えや取り扱い性が悪くなるのを防ぐことができる。
【０００７】
ここで、前記第２栓体において前記容器軸方向に沿った容器本体の外側を向く外端面に凹部が形成され、前記接続筒体における前記容器軸方向の一方側の部分は、その端部が前記凹部に嵌合されるとともに、この端部に前記容器軸方向の他方側から連なる部分には、その径方向に貫通する貫通孔が形成されてもよい。
【０００８】
この場合、接続筒体により第２栓体を押し込んで胴部内に進入させたときに、接続筒体における容器軸方向の一方側の端部を第２栓体の凹部に引き続き嵌合させておくことが可能になり、第１容器内の第１剤と第２容器内の第２剤とを前記貫通孔および接続筒体内を通して混合するときに、第２栓体が例えば前記貫通孔を塞ぐ等して邪魔になるのを防ぐことが可能になり、第１剤と第２剤とを効率よく混合することができる。
【０００９】
また、前記第１栓体および第２栓体は、前記容器本体を形成する材質よりも柔軟な材料で形成されてもよい。
【００１０】
この場合、第１栓体および第２栓体が、容器本体を形成する材質よりも柔軟な材料で形成されているので、第１容器内の液密性をより一層確実に確保することができる。
なお、第２栓体が接続筒体を形成する材質よりも柔軟な材料で形成され、第２栓体に前記凹部が形成されるとともに、この凹部の内径が接続筒体における容器軸方向の一方側の端部の外径よりも僅かに小さくされた場合には、接続筒体の前記一方側の端部を第２栓体の凹部に嵌合させると、第２栓体の弾性復元力により、前記凹部の内周面が接続筒体の前記一方側の端部の外周面に密接することとなる。したがって、接続筒体の前記一方側の端部を第２栓体の凹部に嵌合させた状態で、この接続筒体により第２栓体を押し込んで胴部内に進入させたときに、第２栓体が接続筒体の前記一方側の端部から外れるのを防ぐことが可能になり、第１剤と第２剤とを確実に効率よく混合することができる。
【００１１】
さらに、前記容器本体には、第１栓体を容器軸方向に沿った容器本体の外側から覆う保護カバーが装着され、この保護カバーには、該保護カバーと第１栓体とで囲まれた空間と、第１容器の外部と、を連通する連通孔が形成されてもよい。
【００１２】
この場合、保護カバーが設けられているので、第１栓体に外力が加えられるのを防ぐことが可能になり、第１栓体が破損したり、あるいは第１栓体が容器本体の口部側に向けて押し込まれ第２栓体が口部から容器本体の外側に外れたりするのを防ぐことができる。
さらに、保護カバーに連通孔が形成されているので、この保護カバーを設けたことにより、前述のように第２栓体を口部から外して胴部内に進入させる過程における第１容器の内圧上昇に伴い、第１栓体が容器軸方向に摺動し難くなるのを防ぐことができる。
【００１３】
また、前記接続筒体は、前記容器本体の口部内に挿入され前記第２栓体を胴部側に向けて押し込む内筒と、この内筒を径方向外側から囲繞する外筒と、を備え、これらの外筒と内筒との間における容器軸方向の一方側に前記容器本体の口部が差し込まれてもよい。
【００１４】
この場合、前述のように第１剤と第２剤とを混合するときに、外筒と内筒との間における容器軸方向の一方側に容器本体の口部を差し込むので、この混合時に、第１容器および接続筒体が相対的に容器軸に交差する方向にぐらついて互いの姿勢が不安定になるのを抑制することができる。
【００１５】
さらに、前記外筒における容器軸方向の一方側の端部には、前記容器本体における口部と胴部との接続部分の外面に容器軸方向に近接若しくは当接するストッパリングが分離可能に接続されてもよい。
【００１６】
この場合、外筒と内筒との間における容器軸方向の一方側に容器本体の口部が差し込まれた状態で、この二剤混合容器に不用意に加えられた外力によって、接続筒体が容器軸方向に沿った容器本体の内側に向けて前進移動し第２栓体が胴部側に向けて押し込まれるのを防ぐことができる。
【発明の効果】
【００１７】
この発明に係る二剤混合容器によれば、第１剤が収容された第１容器内の液密性を確実に確保しながら、第１剤と第２容器内に収容された第２剤とを容易かつ確実に混合することができる。
【発明を実施するための最良の形態】
【００１８】
以下、図面を参照し、この発明の実施の形態について説明する。
本実施形態に係る二剤混合容器１は、第１剤Ａが収容される第１容器１０と、二重筒状に形成された接続筒体２０と、を備え、接続筒体２０は、図２に示されるような第２剤Ｂが収容された第２容器３０の内部と第１容器１０の内部とを連通するようになっている。
【００１９】
なお、接続筒体２０は、その中心軸と、第１容器１０および第２容器３０それぞれの中心軸と、を共通軸上に位置させた状態で、第２容器３０の内部と第１容器１０の内部とを連通するようになっている。以下、この共通軸を容器軸Ｏといい、容器軸Ｏに直交する方向を径方向という。
第２容器３０は、図２に示されるように有底筒状に形成されるとともに、口部３０ａに雄ねじ部が形成され、この雄ねじ部にキャップ３１に形成された雌ねじ部が螺合している。なお、第２容器３０は一体に形成されている。
【００２０】
第１容器１０は、筒状の容器本体１１と、この容器本体１１の胴部１２内に容器軸Ｏ方向に摺動可能に嵌合された第１栓体１３と、容器本体１１において胴部１２よりも小径の口部１４内に容器軸Ｏ方向に摺動可能に嵌合された第２栓体１５と、を有している。そして、容器本体１１内における第１栓体１３と第２栓体１５との間の密閉空間に第１剤Ａが収容されている。なお、容器本体１１の胴部１２および口部１４は、互いの容器軸Ｏ方向に沿った位置を異ならせて、容器軸Ｏと同軸に配置されている。
本実施形態では、口部１４において、その開口端縁１４ｃ側に雄ねじ部１４ａが形成され、この雄ねじ部１４ａよりも胴部１２側に位置する部分１４ｂは平滑面とされるとともに、その容器軸Ｏ方向に沿った長さは雄ねじ部１４ａよりも長くなっている。
【００２１】
第１栓体１３および第２栓体１５それぞれの外周面には、容器軸Ｏ回りに全周にわたって連続して延びるシール突条部１３ａ、１５ａが容器軸Ｏ方向に間隔をあけて複数突設されている。第１栓体１３および第２栓体１５それぞれにおいて、容器軸Ｏ方向に沿った容器本体１１の外側を向く外端面に凹部１３ｂ、１５ｂが形成されている。第１栓体１３および第２栓体１５それぞれにおいて、容器軸Ｏ方向に沿った容器本体１１の内側を向く内端面は、径方向の外側から中央部に向かうに従い漸次、容器本体１１の内側に向けて尖る錘面となっている。
なお、第１栓体１３および第２栓体１５は、容器本体１１や接続筒体２０を形成する例えばポリオレフィン、ポリエステル若しくはポリプロピレン等の樹脂材料またはガラス材料等よりも柔軟な例えばオレフィン系、スチレン系若しくはポリエステル系の熱可塑性エラストマ等のゴム状弾性体で形成されている。
【００２２】
容器本体１１には、第１栓体１３を容器軸Ｏ方向に沿った容器本体１１の外側から覆う保護カバー１６が装着されている。この保護カバー１６には、該保護カバー１６と第１栓体１３とで囲まれた空間Ｃと、第１容器１０の外部と、を連通する連通孔１６ａが形成されている。図示の例では、連通孔１６ａは、保護カバー１６を容器軸Ｏ方向に貫通することで空間Ｃと外部とを連通している。
【００２３】
接続筒体２０は、容器軸Ｏと同軸に配設されるとともに、容器本体１１の口部１４内に挿入され第２栓体１５を胴部１２側に向けて押し込む内筒２２と、この内筒２２を径方向外側から囲繞する外筒２１と、を備えている。なお、外筒２１および内筒２２は、容器軸Ｏと同軸上に配設されている。
【００２４】
外筒２１の内周面には、容器軸Ｏ方向の一方側に位置し第１容器１０の口部１４が螺合可能な第１雌ねじ部２１ａと、他方側に位置し第２容器３０の口部３０ａが螺合可能な第２雌ねじ部２１ｂと、が形成されている。図示の例では、第１雌ねじ部２１ａは、第２雌ねじ部２１ｂよりも容器軸Ｏ方向に沿った長さが長くなっている。そして、この外筒２１の内周面において、第１雌ねじ部２１ａと第２雌ねじ部２１ｂとの間に位置する部分に、フランジ部２３を介して内筒２２における容器軸Ｏ方向の他方側の端部が連結されている。
【００２５】
なお、内筒２２における容器軸Ｏ方向の他方側の端縁２２ｃは、フランジ部２３よりも容器軸Ｏ方向の他方側に突出している。また、外筒２１における容器軸Ｏ方向の一方側の端部には、ストッパリング２４が分離可能に接続されている。さらに、フランジ部２３において容器軸Ｏ方向の一方側を向く表面には、環状のパッキン２３ａが容器軸Ｏと同軸上に配置されている。また、外筒２１、内筒２２およびフランジ部２３は一体に形成されている。
【００２６】
内筒２２における容器軸Ｏ方向の一方側の端部２２ａの外径は、この内筒２２において最も小さく、かつ第２栓体１５の凹部１５ｂの内径よりも若干大きくなっている。また、内筒２２において前記一方側の端部２２ａに容器軸Ｏ方向の他方側から連なる部分に、その径方向に貫通する貫通孔２２ｂが形成されている。なお、貫通孔２２ｂは、容器軸Ｏ回りに間隔をあけて複数形成されている。さらに、内筒２２において貫通孔２２ｂに容器軸Ｏ方向の他方側から連なる部分の外周面に、容器軸Ｏ回りに全周にわたって連続して延びるシール突条部２２ｄが突設されている。このシール突条部２２ｄは、容器本体１１の口部１４の内周面上を、液密性を確保しつつ摺動するようになっている。
【００２７】
そして、外筒２１と内筒２２との間における容器軸Ｏ方向の一方側に、容器本体１１の口部１４を差し込みながら、接続筒体２０および第１容器１０を容器軸Ｏ回りに相対的に回動させて容器軸Ｏ方向に互いに接近移動させると、図２に示されるように内筒２２の前記一方側の端部２２ａが第２栓体１５の凹部１５ｂ内に嵌合され、かつストッパリング２４が容器本体１１において口部１４と胴部１２との接続部分１７の外面に近接若しくは当接する。
この際、内筒２２の貫通孔２２ｂは、第２栓体１５よりも容器軸Ｏ方向の他方側に位置している。また、内筒２２のシール突条部２２ｄは、容器本体１１の口部１４の内周面に当接し、この口部１４の開口端縁１４ｃとパッキン２３ａとの間には容器軸Ｏ方向の隙間が設けられている。
【００２８】
次に、この接続筒体２０における外筒２１の第２雌ねじ部２１ｂに、キャップ３１を外した第２容器３０の口部３０ａを螺着する。この際、第２容器３０の口部３０ａの開口端縁部において、その内周面に内筒２２の前記他方側の端縁２２ｃが当接し、外周面に外筒２１の内周面が当接し、開口端縁にフランジ部２３が当接する。
その後、ストッパリング２４を外筒２１から取り外し、第１容器１０と、接続筒体２０および第２容器３０と、を容器軸Ｏ回りに相対的に回転させて、図３に示されるように、内筒２２により第１容器１０における第２栓体１５を胴部１２側に向けて押し込んで口部１４から離脱させ胴部１２に進入させる。ここで、第２栓体１５が胴部１２側に向けて移動する過程における第１容器１０の内圧上昇に伴い、第１栓体１３が容器軸Ｏ方向の外側に向けて摺動することとなる。
【００２９】
またこの際、内筒２２の貫通孔２２ｂも胴部１２内に進入する。また、内筒２２のシール突条部２２ｄは、容器本体１１の口部１４の内周面に引き続き当接し、口部１４の開口端縁１４ｃはパッキン２３ａに当接する。
以上より、第１容器１０の内部と第２容器３０の内部とが、外部との連通が遮断された状態で、接続筒体２０における貫通孔２２ｂおよび内筒２２の内部を通して連通し、第１容器１０内の第１剤Ａが第２容器３０内に注入される。
【００３０】
その後例えば、必要に応じて図３に示す状態から上下反転させたり振るなどして、第１剤Ａと第２剤Ｂとを混合させ、この混合剤Ｄを第２容器３０内に留める。そして、第２容器３０の口部３０ａから接続筒体２０を第１容器１０とともに取り外した後に、この口部３０ａに例えばポンプ等を装着して、内部に混合剤Ｄが収容された吐出容器とし、この容器から混合剤Ｄを吐出して使用する。
【００３１】
以上説明したように本実施形態に係る二剤混合容器１によれば、第１栓体１３および第２栓体１５が容器本体１１内に容器軸Ｏ方向に摺動可能に嵌合されているので、第１容器１０内の液密性を確実に確保することができるとともに、接続筒体２０により第２栓体１５を胴部１２側に向けて押し込む過程における第１容器１０の内圧上昇に伴い、第１栓体１３を容器軸Ｏ方向の外側に向けて摺動させることが可能になる。
【００３２】
したがって、第１容器１０の内圧上昇を抑えることが可能になり、第２栓体１５が第１容器１０の口部１４内を胴部１２側に向けて摺動し難くなってこの口部１４から外れ難くなるのを防ぐことができ、また、第２栓体１５が第１容器１０の口部１４から外れたときに、第１剤Ａが第１容器１０内から口部１４を通してその外部に勢いよく噴出するのを防ぐことができる。これにより、第１剤Ａと第２剤Ｂとを容易かつ確実に混合することができる。
【００３３】
また、口部１４内の第２栓体１５を口部１４より大径の胴部１２内に進入させて、第１容器１０内と第２容器３０内とを連通させるので、第２栓体１５が第２容器３０内に進入するのを防ぐことが可能になり、例えば第２容器３０を、第１剤Ａと第２剤Ｂとを混合した混合剤Ｄの収容容器として継続して用いる場合に、この第２容器３０の見映えや取り扱い性が悪くなるのを防ぐことができる。
【００３４】
さらに、内筒２２の前記一方側の端部２２ａを第２栓体１５の凹部１５ｂ内に嵌合した状態で、第２栓体１５を胴部１２側に押し込むので、第２栓体１５を胴部１２内に進入させたときに、内筒２２の前記一方側の端部２２ａを第２栓体１５の凹部１５ｂに引き続き嵌合させておくことが可能になる。したがって、第１容器１０内の第１剤Ａと第２容器３０内の第２剤Ｂとを貫通孔２２ｂおよび内筒２２内を通して混合するときに、第２栓体１５が例えば貫通孔２２ｂを塞ぐ等して邪魔になるのを防ぐことが可能になり、第１剤Ａと第２剤Ｂとを効率よく混合することができる。
【００３５】
ここで本実施形態では、第２栓体１５が、接続筒体２０を形成する材質よりも柔軟な材料で形成されるとともに、凹部１５ｂの内径が内筒２２の前記一方側の端部２２ａの外径よりも僅かに小さくなっているので、内筒２２の前記一方側の端部２２ａを第２栓体１５の凹部１５ｂに嵌合させると、第２栓体１５の弾性復元力により、凹部１５ｂの内周面が内筒２２の前記一方側の端部２２ａの外周面に密接することとなる。
したがって、内筒２２の前記一方側の端部２２ａを第２栓体１５の凹部１５ｂに嵌合させた状態で、接続筒体２０により第２栓体１５を押し込んで胴部１２内に進入させたときに、第２栓体１５が内筒２２の前記一方側の端部２２ａから外れるのを防ぐことが可能になり、第１剤Ａと第２剤Ｂとを確実に効率よく混合することができる。
【００３６】
また、第１栓体１３および第２栓体１５が、容器本体１１を形成する材質よりも柔軟な材料で形成されているので、第１容器１０内の液密性をより一層確実に確保することができる。
さらに、本実施形態では、第１容器１０に保護カバー１６が設けられているので、第１栓体１３に外力が加えられるのを防ぐことが可能になり、第１栓体１３が破損したり、あるいは第１栓体１３が容器本体１１の口部１４側に向けて押し込まれ第２栓体１５が口部１４から容器本体１１の外側に外れたりするのを防ぐことができる。
また、この保護カバー１６に連通孔１６ａが形成されているので、この保護カバー１６を設けたことにより、前述のように第２栓体１５を口部１４から外して胴部１２内に進入させる過程における第１容器１０の内圧上昇に伴い、第１栓体１３が容器軸Ｏ方向に摺動し難くなるのを防ぐことができる。
【００３７】
さらに本実施形態では、接続筒体２０が二重筒状に形成され、外筒２１と内筒２２との間における容器軸Ｏ方向の一方側に容器本体１１の口部１４を差し込んで第１剤Ａと第２剤Ｂとを混合するので、この混合時に、第１容器１０および接続筒体２０が相対的に容器軸Ｏに交差する方向にぐらついて互いの姿勢が不安定になるのを抑制することができる。
また、外筒２１にストッパリング２４が分離可能に接続されているので、外筒２１と内筒２２との間における容器軸Ｏ方向の一方側に容器本体１１の口部１４が差し込まれた状態で、この二剤混合容器１に不用意に加えられた外力によって、接続筒体２０が容器軸Ｏ方向に沿った容器本体１１の内側に向けて前進移動し第２栓体１５が胴部１２側に向けて押し込まれるのを防ぐことができる。
【００３８】
なお、本発明の技術的範囲は前記実施の形態に限定されるものではなく、本発明の趣旨を逸脱しない範囲において種々の変更を加えることが可能である。
例えば前記実施形態では、接続筒体２０として外筒２１および内筒２２を有する二重筒状体を示したが、これに代えて外筒２１を有しない構成、若しくは３つ以上の筒体を有する多重筒状体を採用してもよい。
また、前記実施形態では、第１栓体１３および第２栓体１５にそれぞれ、凹部１３ｂ、１５ｂを形成したが、この凹部１３ｂ、１５ｂは形成しなくてもよい。
さらに、容器本体１１、第１栓体１３および第２栓体１５を形成する材質は、前記実施形態に限らず適宜変更してもよい。
また、前記実施形態では、第１容器１０に保護カバー１６を設けたが、この保護カバー１６を有しない第１容器１０を採用してもよい。
さらに、前記実施形態では、外筒２１にストッパリング２４を設けたが、このストッパリング２４は設けなくてもよい。
また、前記実施形態では、パッキン２３ａを設けたが、このパッキン２３ａは設けなくてもよい。
さらに、前記実施形態では、内筒２２における容器軸Ｏ方向の他方側の端縁２２ｃを、フランジ部２３よりも容器軸Ｏ方向の他方側に突出させたが、突出させなくてもよい。
また、第２容器３０としてキャップ３１を有しない構成を採用してもよい。
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３９】
第１剤が収容された第１容器内の液密性を確実に確保しながら、第１剤と第２容器内に収容された第２剤とを容易かつ確実に混合することができる。
【図面の簡単な説明】
【００４０】
【図１】本発明に係る一実施形態の二剤混合容器を分解した半縦断面図である。
【図２】図１に示す二剤混合容器を第２剤が収容された第２容器に装着する直前を示す半縦断面図である。
【図３】図２に示す状態から第２栓体を押し込んで第１容器内の第１剤と第２容器内の第２剤とを混合した状態を示す半縦断面図である。
【符号の説明】
【００４１】
１  二剤混合容器
１０  第１容器
１１  容器本体
１２  胴部
１３  第１栓体
１３ｂ  凹部
１４  口部
１５  第２栓体
１５ｂ  凹部
１６  保護カバー
１６ａ  連通孔
１７  接続部分
２０  接続筒体
２１  外筒
２２  内筒
２２ａ  一方側の端部
２２ｂ  貫通孔
２４  ストッパリング
３０  第２容器
３０ａ  口部
Ａ  第１剤
Ｂ  第２剤
Ｃ  空間
Ｏ  容器軸
【図１】
2010155628.tif 000003
【図２】
2010155628.tif 000004
【図３】
2010155628.tif 000005